(57)【要約】【課題】カードまたは変換器が挿入される際、ほかのカードに対応する端子に接触し短絡問題が生じる事態を防止可能な短絡防止機能付カードアダプターを提供する。【解決手段】前端に開口部１６と、開口部１６から内部へ伸びて部分的に重なる第一カードに適用する第一挿入空間１７と第二カードに適用する第二挿入空間１８の両側にそれぞれのカードを誘導する第一誘導面１７１及び第二誘導面１８１とを有するハウジング１１と、多数個の端子を配列しハウジング１１内に配置される複数の端子で、第一組の端子は開口部１６から離れ第一カードとの接続に用いられ、第二組の端子２５は開口部１６に近く第二カードとの接続に用いられる端子とを備え、第二組の端子２５は電源端子とアース端子とを含み、電源端子に近い第一誘導面１７１と第二誘導面１８１の間の第一距離ｄ１はアース端子に近い第一誘導面１７１と第二誘導面１８１の間の第二距離ｄ２より短い。【選択図】図４
0003118590.tif 000002
【実用新案登録請求の範囲】
【請求項１】
前端に開口部と、開口部から内部へ伸びて形成される二つ以上の挿入空間とを有し、前記挿入空間は部分的に重なり、そのうちの第一挿入空間は厚くて狭い第一カードに適用し、第二挿入空間は薄くて広い第二カードに適用し、また第一挿入空間の両側には第一カードを誘導する第一誘導面と、第二挿入空間の両側には第二カードを誘導する第二誘導面とを有するハウジングと、
多数個の端子を配列して構成され、かつハウジング内に配置される少なくとも二組の端子であって、そのうち第一組の端子は開口部から離れ、第一カードとの接続に用いられ、第二組の端子は開口部に近く、第二カードとの接続に用いられる少なくとも二組の端子とを備える短絡防止機能付カードアダプターであって、
第二組の端子は電源端子とアース端子とを含み、電源端子に近い第一誘導面と第二誘導面との間の距離は第一距離であり、アース端子に近い第一誘導面と第二誘導面との間の距離は第二距離であって、第一距離は第二距離より短いことを特徴とする短絡防止機能付カードアダプター。
【請求項２】
ハウジングは底座と蓋体とから構成されることを特徴とする請求項１に記載の短絡防止機能付カードアダプター。
【請求項３】
少なくとも二組の端子は底座に配置されることを特徴とする請求項２に記載の短絡防止機能付カードアダプター。
【請求項４】
第一カードはＭＳ−ＤＵＯ変換器であって、第二カードはＸＤカードであることを特徴とする請求項１に記載の短絡防止機能付カードアダプター。
【請求項５】
第二組の端子は、０号から１８号の１９本の端子を有し、そのうち０号端子はアース端子、１８号端子は電源端子であることを特徴とする請求項４に記載の短絡防止機能付カードアダプター。
【請求項６】
電源端子はカードを挿入する方向の左側に位置し、アース端子はカードを挿入する方向の右側に位置することを特徴とする請求項５に記載の短絡防止機能付カードアダプター。
【考案の詳細な説明】
【技術分野】
【０００１】
本考案は、電子装置のうちのメモリカードアダプター、詳しく言えば短絡防止機能付カードアダプターに関するものである。
【背景技術】
【０００２】
現今のカードアダプターは殆どマルチカードアダプターの構造を採用し、ハウジング内部で多種規格のカードに適用可能な空間と接続に対応可能な端子を形成することで多種の規格が異なるカードを挿入するものである。
図９と図１０に示すように、周知のマルチカードアダプター７０はハウジング７１と、ハウジング７１内に形成され多種のカードの挿入に用いられる空間とを有し、そのうち空間は、ＭＳ規格のカードまたはＭＳ−ＤＵＯ変換器７８（以下、ＭＳ−ＤＵＯ変換器を例に挙げて説明する）の挿入に用いられる第一空間と、ＸＤ規格のカード（図中未表示）の挿入に用いられる第二空間とを有することで別々にＭＳ−ＤＵＯ変換器７８とＸＤカードを誘導し、挿入することが可能である。またハウジング７１は、内部にＭＳ−ＤＵＯ変換器に接続可能な第一組の端子７２と、ＸＤカードに接続可能な第二組の端子７３を有する。
【０００３】
ＭＳ−ＤＵＯ変換器７８を使用する際、前述の構造であるマルチカードアダプター７０には短絡問題が発生する。その理由はＭＳ−ＤＵＯ変換器７８が頂面、両側、及び底面の局部両側を被覆する金属部分を有するということである。図１０に示すように第二組の端子７３の左右側の端子の距離Ａが本来のＭＳ−ＤＵＯ変換器７８底部両側の金属部分の間の距離Ｂより大きいため、ＭＳ−ＤＵＯ変換器７８が挿入される際にその底面両側の金属部分７９は第二組の端子７４の左右側の端子に接触する。このとき左右側の端子は別々に電源端子７３１とアース端子７３２であるため、短絡問題が生じるとともに、カードアダプターに接続する電子回路または電子装置を焼損することもある。
上述の欠点を鑑みて本考案者は絶えず試作と実験をした結果、前述問題を解決可能な本考案を完成させた。
【考案の開示】
【考案が解決しようとする課題】
【０００４】
本考案の主な目的は、カードまたは変換器が挿入される際、ほかのカードに対応する端子に接触し、短絡問題が生じる事態を防止可能な短絡防止機能付カードアダプターを提供することである。
【課題を解決するための手段】
【０００５】
上述の目的を達成するために、本考案による短絡防止機能付カードアダプターはハウジングと少なくとも二組の端子を備える。そのうちハウジングは前端に開口部と、開口部から内部へ伸びて形成される二つ以上の挿入空間を有し、これらの挿入空間は部分的に重なり、そのうちの第一挿入空間は厚くて狭い第一カードに適用し、第二挿入空間は薄くて広い第二カードに適用し、またハウジングは第一挿入空間の両側に第一カードを誘導する第一誘導面、第二挿入空間の両側に第二カードを誘導する第二誘導面を有する。少なくとも二組の端子は多数個の端子を配列して構成され、かつハウジング内に配置される。そのうち第一組の端子は開口部から離れ、第一カードとの接続に用いられ、第二組の端子は開口部に近く、第二カードとの接続に用いられる。また第二組の端子は電源端子とアース端子を含み、電源端子に近い第一誘導面と第二誘導面の間の距離は第一距離であり、アース端子に近い第一誘導面と第二誘導面の間の距離は第二距離であって、第一距離は第二距離より短いため、第一カードが挿入される際、導電表面が電源端子に接触する事態が発生せず、短絡問題も生じない。
【考案を実施するための最良の形態】
【０００６】
以下、本考案の一実施例による短絡防止機能付カードアダプターの構造と特徴を図面に基づいて説明する。まず図面の説明は次の通りである。
図１は本考案の一実施例による短絡防止機能付カードアダプターの斜視図である。
図２は蓋体と底座が分離する際の本考案の一実施例による短絡防止機能付カードアダプターの分解斜視図である。
図３は本考案の一実施例による短絡防止機能付カードアダプターの底座を上から見た平面図である。
【０００７】
図４は図３の４−４線に沿う断面図である。
図５は本考案の一実施例の作動により、ＭＳ−ＤＵＯ変換器が挿入された状態を示す模式図である。
図６は図５の６−６線に沿う断面図である。
図７は本考案の一実施例の作動によりＸＤカードが挿入された状態を示す模式図である。
図８は図７の８−８線に沿う断面図である。
【０００８】
図１から図８に示すように、本考案の一実施例による短絡防止機能付カードアダプター１０は、ハウジング１１と少なくとも二組の端子２１、２５とを備える。ハウジング１１は、底座１２と蓋体１４から構成される。ハウジング１１は前端に開口部１６と、開口部１６から内部へ伸びて形成される二つ以上の挿入空間１７、１８とを有し、これらの挿入空間１７、１８は部分的に重なり、そのうちの第一挿入空間１７は厚くて狭い第一カード９１に適用し、第一カード９１は本実施例ではＭＳ規格のカードまたはＭＳ−ＤＵＯ変換器（以下、ＭＳ−ＤＵＯ変換器を第一カードとして説明する）であり、第二挿入空間１８は薄くて広い第二カード９５に適用し、第二カードは本実施例ではＸＤ規格のカード（以下、ＸＤカードと称する）である。また、ハウジング１１は、第一挿入空間１７の両側に第一カード９１（即ちＭＳ−ＤＵＯ変換器）を誘導する第一誘導面１７１、第二挿入空間１８の両側に第二カード９５（即ちＸＤカード）を誘導する第二誘導面１８１を有する。
【０００９】
本実施例では、各図面に示される端子は三組あるが、説明する際に二組の端子２１、２５を例に挙げるだけで本考案の技術を十分に説明することができる。二組の端子２１、２５は多数個の端子を配列して構成されかつ底座１２に配置され、そのうち第一組の端子２１は開口部１６から離れ、第一カード９１との接続に用いられ、第二組の端子２５は開口部１６に近く、第二カード９５との接続に用いられる。
【００１０】
本実施例の特徴は次の通りである。
第二組の端子２５は０号端子から１８号など１９本の端子を有し、そのうち０号端子２５０はアース端子で、カードを挿入する方向から第二組の端子２５の右側に配列され、１号端子２５１もアース端子で、０号端子の左側に接するように配列され、１８号端子２５８は電源端子で、カードを挿入する方向から第二組の端子２５の左側に配列される。第一カード９１は底面両側に金属から構成される導電表面９２を有する。
【００１１】
図４に示すように、１８号端子２５８（電源端子）に近い第一誘導面１７１と第二誘導面１８１の間の距離は第一距離ｄ１、０号端子２５０（アース端子）に近い第一誘導面１７１と第二誘導面１８１の間の距離は第二距離ｄ２であり、第一距離ｄ１は第二距離ｄ２より短い。このため、第一カード９１が挿入される際、周知のものと比べて相対的な位置がよりいっそう左に寄るため、左側に寄る一側の導電表面９２が１８号端子２５８（電源端子）に接触する事態が発生せず、短絡問題も生じない。
【００１２】
図５から図６に示すように、第一カード９１（即ちＭＳ−ＤＵＯ変換器）が挿入される際、第一カード９１は第一誘導面１７１の制限・誘導を受け、入る。図６に示すように本実施例は第一距離ｄ１を第二距離ｄ２より短くする設計により、第一カード９１を左に寄らせるように挿入することが可能である。このとき第一カード９１の底面両側の導電表面９２のうち左側に位置する導電表面９２は左に寄るため、１８号端子２５８（電源端子）に接触する事態が発生せず、右側に位置する導電表面９２は同時に第二組の端子２５の０号端子２５０（即ちアース端子）と１号端子２５１（即ちアース端子）とに接触する。ここで説明すべきなのは０号端子２５０と１号端子２５１とをアースに限定するように設計するため、０号端子２５０と１号端子２５１とが同時に導電表面９２に接触する際に短絡問題が発生しない。これにより本実施例の設計は、第一カード９１底面の導電表面９２が同時に０号端子２５０（アース端子）と１８号端子２５８（電源端子）とに接触することで短絡が生じるという問題を防止可能である。また図７と図８に示すのは第二カード９５（ＸＤカード）を挿入した状態である。
【００１３】
上述により、本実施例の長所は第一距離ｄ１を第二距離ｄ２より短くする設計により、第一カード９１（ＭＳ−ＤＵＯ変換器）を左に寄るように挿入することが可能であるだけでなく、導電表面９２が左に寄るように挿入されることで第二組の端子２５のうちの１８号端子２５８（即ち電源端子）に接触し、短絡が生じるという問題を防止することも可能である。
本実施例に挙げた構成ユニットは説明に用いられる例に過ぎないため、本考案の範囲を制限することはできない。効果が同等なユニットに取り替えたり同等な変化をしたりするのは本考案の請求範囲に属すべきである。
【図面の簡単な説明】
【００１４】
【図１】本考案の一実施例による短絡防止機能付カードアダプターの斜視図である。
【図２】蓋体と底座が分離する際の本考案の一実施例による短絡防止機能付カードアダプターの分解斜視図である。
【図３】本考案の一実施例による短絡防止機能付カードアダプターの底座を上から見た平面図である。
【図４】図３の４−４線に沿う断面図である。
【図５】本考案の一実施例の作動により、ＭＳ−ＤＵＯ変換器が挿入された状態を示す模式図である。
【図６】図５の６−６線に沿う断面図である。
【図７】本考案の一実施例の作動によりＸＤカードが挿入された状態を示す模式図である。
【図８】図７の８−８線に沿う断面図である。
【図９】周知のカードアダプターの立体図である。
【図１０】図９の周知のカードアダプターにＭＳ−ＤＵＳ変換器が挿入される際の断面状態を示す模式図である。
【符号の説明】
【００１５】
１０  短絡防止機能付カードアダプター、１１  ハウジング、１２  基座、１４  蓋板、１６  開口部、１７  第一挿入空間、１７１  第一誘導面、１８  第二挿入空間、１８１  第二誘導面、２１  第一組の端子、２５  第二組の端子、２５０  ０号端子、２５１  １号端子、２５８  １８号端子、９１  第一カード、９２  導電表面、９５  第二カード、ｄ１  第一距離、ｄ２  第二距離
【図１】
0003118590.tif 000003
【図２】
0003118590.tif 000004
【図３】
0003118590.tif 000005
【図４】
0003118590.tif 000006
【図５】
0003118590.tif 000007
【図６】
0003118590.tif 000008
【図７】
0003118590.tif 000009
【図８】
0003118590.tif 000010
【図９】
0003118590.tif 000011
【図１０】
0003118590.tif 000012